(57)【要約】【課題】    新たな魚礁を設置すれば漁業資源の減少を改善できると分かっていながら、資金不足のために新たに魚礁を設置することが出来ないでいる。【解決手段】    バーチャル魚礁の一部を購入するという手段を取ることにより、魚礁購入に対する敷居を低くすることと、広く一般に対して購入層を求められると言う効果が得られる。    更には、海域や魚礁に関するデータをバーチャル海域を通じて公表することにより、購入対象者の信頼を高め、出資者を増加させる効果がある。    また購入者に対して遊び心を刺激する方法によって配当を与えることにより、常に関心を呼び起こさせ、一度購入した人が継続購入したくなる効果がある。    魚礁、出資者、配当を一元管理する、本ビジネスモデルの管理システムによって、上記の効果が期待できるので、課題を解決することが出来る。【選択図】図１
2008097565.tif 000002
【特許請求の範囲】
【請求項１】
実際の魚礁設置海域のバーチャルモデルをコンピュータ上に構築する手段と、そのバーチャル海域上にバーチャル魚礁を構築する手段と、インターネットを通じて公開されるバーチャル海域・魚礁に対して、魚礁の好きな部分の権利を購入できるようにした手段を備えた、バーチャル魚礁販売システムが、実際の海域、魚礁とリンクすることにより、魚礁で実際に獲得される水産物の配当の権利を有することが出来る魚礁出資者配当一元管理システムのビジネスモデル。
【請求項２】
バーチャル魚礁の購入により、本物の魚礁の出資者となった者に対して、配当の為の漁を行うことにより、その漁獲された水産物の漁獲高を入力する手段と、当日の競りの結果を入力する手段を備え、その時々の実際の漁獲内容や価値に応じた配当内容を元に出資額と希望に応じた割合を演算する機能を備え、演算結果により現物支給する内容を出資者に通知する機能と、出荷担当者に通知する機能を備えたことを特徴とする魚礁出資者配当一元管理システムのビジネスモデル。
【請求項３】
インターネットを通じて配当を受ける漁の日にち、漁船を出資者が選択することが可能な手段を備えたことを特徴とする魚礁出資者配当一元管理システムのビジネスモデル。
【請求項４】
出資者が受け取った配当（水産物）を委託販売する手段と、管理コンピューター上にバーチャル水槽を構築する手段と、配当をバーチャル水槽内にバーチャル水産物として保管する手段と、配当を換金する手段と、配当内容を他のバーチャル水産物に変更する手段とを備えることを特徴とする魚礁出資者配当一元管理システムのビジネスモデル。
【請求項５】
地域ブランドの対象水産物にＩＣタグや２次元バーコードに代表される管理タグによりインターネットを通じて表示される情報に対して、インターネットを通じて出資者が情報を登録するための手段と、出資の割合と漁獲高に応じたタグの出力数を演算する機能を備え、演算結果に応じた内容のタグを出力する装置。
【請求項６】
地域ブランドの対象水産物にＩＣタグや２次元バーコードに代表される管理タグによりインターネットを通じて表示される情報の広告スペースを、出資者のみが購入できる手段と、インターネットを通じて出資者に対して販売することが出来る手段を備えることを特徴とする魚礁出資者配当一元管理システムのビジネスモデル。
【請求項７】
地域ブランドの対象水産物にＩＣタグや２次元バーコードに代表される管理タグによりインターネットを通じて購入者によるアクセス内容を記録する手段と、記録したアクセス状況と、出資割合、広告スペースの購入状況、配当漁の漁獲高を元に広告配当を演算処理する機能を備えることを特徴とする魚礁出資者配当一元管理システムのビジネスモデル。
【請求項８】
管理タグによりインターネットを通じてアクセスをした水産物の購入者が、魚礁の購入をすると出資割合、配当漁の漁獲高を元に魚礁販売配当を演算処理する機能を備え、演算結果により配当比率を増加する自動処理手段と、その内容を出資者に通知する機能と、出荷担当者に通知する機能を備えたことを特徴とする魚礁出資者配当一元管理システムのビジネスモデル。
【請求項９】
魚礁設置に関する、設置位置、有効魚礁タイプを事前調査したデータを入力する手段と、設置後の蝟集調査を一定期間継続的に実施したデータを入力する手段とを備え、入力された経時データを自動的にグラフ表示化する機能を備え、インターネットを通じて、その情報を公開する手段を備えることを特徴とする魚礁出資者配当一元管理システムのビジネスモデル。
【発明の詳細な説明】
【技術分野】
【０００１】      本ビジネスモデル特許は、出資者一般公募型の魚礁の販売システムと、水産物に取り付ける管理タグの出力装置、出資者、漁獲された水産物、配当に関する情報を一元管理するための管理システムに関する。
【背景技術】
【０００２】    自然環境を保護することが目的の、ナショナルトラスト運動は、周知のものとなっている。【０００３】    また、いわゆる一坪農園などと呼ばれるものも存在するが、これらの目的は、自然保護であったり、単に農作業まで委託した小規模農業であり、保護した土地や、購入もしくはレンタルした土地が、所有者、管理者双方に新たな利益を生み出すものではない。【０００４】    また、通常配当の受け取りは、受け取り方法や種類を選択できない。【０００５】    また、地域ブランドの販売は、各地域でトレーサビリティを利用して地域が広めるためのものであるが、生産に関与しない、地域の住人や企業には無関係なものなっている。【０００６】    そして、魚礁の設置に関しては、有効な場所に目的の水産資源に適した魚礁を設置することで、初めて効力が発揮されるものである。その上で設置された魚礁によって、対象とする水産資源が増加することは、漁師の間では認識されている。
【発明の開示】
【発明が解決しようとする課題】
【０００７】    現在、漁業はその厳しい労働条件による若手労働力の減少、環境破壊による水産資源の減少、それらによる漁獲高の減少によってもたらされる収入の減少のために、新たな魚礁を設置すれば漁業資源の減少を改善できると分かっていながら、資金不足のために新たに魚礁を設置することが出来ないでいる。本ビジネスモデル特許は、これらの課題を一気に解決することが可能な画期的な魚礁出資者配当一元管理システムのビジネスモデルに関するものである。
【課題を解決するための手段】
【０００８】    魚礁設置資金の調達方式を、一般公募型で出資者を募るために、インターネット上に展開するバーチャル海域に設置するバーチャル魚礁の一部を購入するという手段を取る。【０００９】    また、地域ブランドと組み合わせることにより広告収入を獲得出来る手段を取り、更にバーチャル魚礁に集まる水産資源をインターネットで公開する手段を取る。
【発明の効果】
【００１０】    バーチャル魚礁の一部を購入するという手段を取ることにより、魚礁購入に対する敷居を低くすることと、広く一般に対して購入層を求められると言う効果が得られる。【００１１】    更には、海域や魚礁に関するデータをバーチャル海域を通じて公表することにより、購入対象者の信頼を高め、出資者を増加させる効果がある。【００１２】    また購入者に対して遊び心を刺激する方法によって配当を与えることにより、常に関心を呼び起こさせ、一度購入した人が継続購入したくなる効果がある。【００１３】    更に、地域ブランドと組み合わせることによる広告効果が期待できる。【００１４】    そして、バーチャル魚礁に集まる水産資源をインターネットで公開することにより、環境問題に対する意識を高め、更に、漁業の大切さと、現状を理解させることにより漁業人口の増加を促す結果となる。
【実施例】
【００１５】    例えば、千葉県いすみ市に於いては、次のように実施することが出来る。【００１６】    漁師１０１が、研究者１０３とともに、実際のイセエビ魚礁２０２を設置するいすみ根海域２０１の、海底地形、漁獲状況（魚の捕れた場所、種類、量）などを調査（１）し、漁協１０２の入力端末３０１を通じて、研究者１０３がいすみ根海域データ及び、データより考慮されるイセエビ魚礁２０２のデータ（種類、対象魚種、形状、サイズ、数量）を管理コンピュータ３０２に入力（２、３）する。【００１７】    漁協１０２がイセエビ魚礁２０２の設置費用と、出資者募集口数、金額を決め、入力端末３０１を通じて出資者募集データを管理コンピュータ３０２に入力（３）する。【００１８】    管理コンピュータ３０２はイセエビ魚礁２０２の設置個数とサイズ、口数よりバーチャルイセエビ魚礁４０２を分割し、バーチャルいすみ根海域４０１内の実際に設置する場所に該当する個所に設定することにより、魚礁トラスト方式によるネット販売準備が整う。【００１９】    一般利用者１０５が、インターネット３０４を通じてアクセス（４）し、バーチャルいすみ根海域４０１を表示（５）して、そのなかのバーチャルイセエビ魚礁４０２の分割された部分をネット銀行３０５を通じて購入（６、７）することにより、実際のイセエビ魚礁２０２の出資者１０４となり、配当を受ける権利を有する。【００２０】    購入したバーチャルイセエビ魚礁４０２と実際のイセエビ魚礁２０２がリンクしていることにより、選択したイセエビ魚礁２０２で水揚げされる水産物２０５が、出資者１０４の配当となる。【００２１】    バーチャルイセエビ魚礁４０２の購入により、実際のイセエビ魚礁２０２の出資者１０４となった者に対して、配当の為の漁（８）を行い、その漁（８）により水揚げ（９）された水産物２０５の漁獲高を漁協１０２が入力端末３０１を通じて管理コンピュータ３０２に入力（３）する。【００２２】    また、当日の競りの結果を漁協１０２が入力端末３０１を通じて管理コンピュータ３０２に入力（３）することにより、その時々の実際の漁獲内容や価値に応じた配当内容を元に出資額と希望に応じた割合を計算し、計算結果により現物支給する内容を出資者１０４にメール送信（１０、１１）することで通知し、また同様に、出荷担当者１０７にもメール送信（１０、１２）することで通知する。【００２３】    インターネット３０４を通じて配当を受ける漁（８）の日にち、漁師１０１を出資者１０４が選択する（１１，１０）ことにより、その日その漁師１０１がどれだけ水揚げできるかによって、出資者１０４が受ける配当が変わるため、ギャンブル的要素を備えることとなり、遊び心をそそることで、飽きさせない工夫が出来る。【００２４】    更に、出資者１０４は受け取った配当（水産物２０５）をインターネット３０４を通じた手続き（１１、１０）をする事により、漁協直販店２０３を通じ委託販売（１３）することが出来る。【００２５】    また、出資者１０４は受け取った配当（水産物２０５）をインターネット３０４を通じた手続き（１１、１０）をする事により、管理コンピュータ３０２上に構築した、バーチャル水槽４０６内にバーチャル水産物４０７とし���保管することが出来る。【００２６】    そして、保管したバーチャル水産物４０７は、出資者１０４がいつでもインターネット３０４を通じて、自分のバーチャル水槽４０６を確認（１４、１５）する事が出来、そのバーチャル水産物４０７の内容を変更する手続き（１１、１０）が出来、更には、本物の水産物２０５に変換して、漁協直販店２０３で受け取る（１３）こと、出荷担当者１０７を通じて受け取る（１６、１７）ことも可能である。【００２７】    そして、更には、バーチャル水産物４０７を換金し、換金したお金をネット銀行３０５を通じて受け取る（６、７）ことも可能である。【００２８】    漁師１０１は、インターネット３０４を通じた手続き（１８、１９）、もしくは、漁協１０２の入力端末３０１を使用して、管理コンピュータ３０２に入力（３）して、配当を行なう漁（８）の日にちを決定する。【００２９】    配当漁（８）の結果は、漁協１０２が入力端末３０１により管理コンピュータ３０２に入力（３）する。【００３０】    配当漁（８）の結果及び、出資者１０４による漁師１０１の選択結果は、管理コンピュータ３０２で成績が付与され、年間を通してのその成績によって、漁師配当が計算され、漁師１０１に還元される。【００３１】    地域ブランドの対象水産物２０５例えばイセエビにＩＣタグや２次元バーコードに代表される管理タグを、取り付ける。【００３２】    具体的には、出資の割合と漁獲高に応じたタグの出力数を計算し、計算結果に応じた内容のタグをタグ出力装置３０３によって出力（２０、２１）して取り付け、漁協直販店２０３や、一般店舗２０４より地域ブランドの対象水産物２０５例えばイセエビを購入（２２、２３、２４、２５）した利用者１０５が、店舗２０４のＩＣタグ読取装置や携帯電話で２次元バーコードを読み取ることによりインターネット３０４を通し（４）て管理タグ情報４０３が表示される。【００３３】    表示される管理タグ情報４０３は、水産物情報４０４と、出資者広告４０５からなり、インターネット３０４を通じて（４）出資者１０４が情報を登録（１１、１０）すると、出資者広告４０５スペースに情報が表示（５）される。出資者１０４は、スペースの購入により広告スペースを拡張することが出来る。拡張広告スペースは、出資者１０４のみがインターネット３０４を通じた手続き（１１、１０）により購入が出来る。【００３４】    管理タグによりインターネット３０４を通じて購入者＝利用者１０５によるアクセスがあると、その内容を管理コンピュータ３０２に記録し、記録したアクセス状況と、出資割合、広告スペースの購入状況、配当漁（８）の漁獲高から広告配当を計算する。【００３５】    広告配当は、管理コンピュータ３０２により自動的に出資者１０４にメール送信（１０、１１）することで通知される。【００３６】    管理タグによりインターネット３０４を通じてアクセスをした水産物２０５の購入者＝利用者１０５が、イセエビ魚礁２０２の購入をすると、その内容を管理コンピュータ３０２に記録し、漁礁販売配当が支払われる。【００３７】    漁礁販売配当は、出資者１０４による委託販売対象水産物の場合と、一般販売水産物の場合とで、配当比率の増分の比率を変える。【００���８】    更に、出資者１０４の広告スペースの購入状況、出資割合、配当漁（８）の漁獲高を元にイセエビ魚礁販売配当を計算した配当比率の増分が、管理コンピュータ３０２により自動的に出資者１０４にメール送信（１０、１１）することで通知される。【００３９】    広告配当や、漁礁購入配当支払の通知を受けた出資者１０４は、配当を、バーチャル水産物４０７として、もしくは、現金をネット銀行３０５を通じて受け取る（６、７）ことが出来る。【００４０】    イセエビ魚礁２０２の設置に関する、設置位置、有効イセエビ魚礁タイプを事前調査したデータを研究者１０３が入力端末３０１で管理コンピュータ３０２に入力（２、３）し、また、設置後の蝟集調査を一定期間継続的に実施したデータを研究者１０３がインターネット３０４で管理コンピュータ３０２に入力（２６、２７）すると、管理コンピュータ３０２が、入力された経時データを自動的にグラフ表示用データに変換する。【００４１】    研究者１０３は、インターネット３０４を通じ（２８、２９）て、その蝟集調査結果４０８をいつでもグラフ表示４０９で確認できる。研究者１０３であれば、インターネット３０４で管理コンピュータ３０２に入力（２６、２７）することにより、データの変更を即座に実施できるし、データを利用することも出来る。【００４２】    この方法により、漁師１０１は、自分で資金を捻出することなく漁礁２０２を設置できることにより、将来に渡る水産物２０５の維持の期待が出来る。【００４３】    出資者１０４は、出資金額分の水産物２０５を受け取れることが保障され、更に、様々な配当を受け取る機会を得ることが出来ると共に、漁業振興ひいては、自然環境保護に積極的な姿勢をアピールできる。【００４４】    研究者１０３は、漁礁に関しての蝟集調査が容易に継続的に実施でき、今後の漁礁の発展に寄与できる。【００４５】    行政は、地域の自然保護と、活性化による恩恵を享受できる。【００４６】    以上のように、このシステムは、いすみ市のイセエビ漁礁２０５に限ったことではなく、それぞれの漁協１０２の地域の特産物の漁礁２０５を対象にすることが出来、システムの利用者全てにわたって、利益を与えることが出来る画期的なシステムである。
【産業上の利用可能性】
【００４７】    本ビジネスモデル特許は、利用する地域の水産資源の特性を生かして利用するべきものであるため、魚礁の設置により水産物の増加が見込まれる、全ての地域で利用することが出来る。
【図面の簡単な説明】
【００４８】
【図１】  本発明の実施形態を示すシステムの全容図
【符号の説明】
【００４９】  １０１  漁師
１０２  漁協
１０３  研究者
１０４  出資者
１０５  利用者
１０６  出荷担当者
２０１  海域
２０２  漁礁
２０３  直販店
２０４  店舗
２０５  水産物
３０１  入力端末
３０２  管理コンピュータ
３０３  タグ出力装置
３０４  インターネット
３０５  ネット銀行
４０１  バーチャル海域
４０２  バーチャル漁礁
４０３  管理タグ情報
４０４  水産物情報
４０５  出資者広告
４０６  バーチャル水槽
４０７  バーチャル水産物
【図１】
2008097565.tif 000003